(57)【要約】【課題】  帯状体の安定した周回移動が維持される定着装置および画像形成装置を提供する。【解決手段】  外周面が周回移動する周回移動体と、周回移動体と外周面同士が接し周回移動する帯状の帯状体と、潤滑剤が染み込んでいることで該潤滑剤を貯蔵している、前記周回移動体に対し前記帯状体を挟んで逆側に位置する潤滑剤貯蔵体と、帯状体の内周面と潤滑剤貯蔵体とに挟まれ、該内周面のうちの周回移動体に対し帯状体を挟んで逆側に位置する部分に摺れる、潤滑剤が該潤滑剤貯蔵体側から該内周面側まで透過する透過体と、を備えた。【選択図】        図２
2012068491.tif 000002
【特許請求の範囲】
【請求項１】
外周面が周回移動する周回移動体と、
前記周回移動体と外周面同士が接し周回移動する帯状の帯状体と、
潤滑剤が染み込んでいることで該潤滑剤を貯蔵している、前記周回移動体に対し前記帯状体を挟んで逆側に位置する潤滑剤貯蔵体と、
前記帯状体の内周面と前記潤滑剤貯蔵体とに挟まれ、該内周面のうちの前記周回移動体に対し前記帯状体を挟んで逆側に位置する部分に摺れる、前記潤滑剤が該潤滑剤貯蔵体側から該内周面側まで透過する透過体と、
を備えたことを特徴とする定着装置。
【請求項２】
前記潤滑剤貯蔵体は、前記透過体に接触した接触部分に隣接した隣接部分が前記帯状体の内周面からみて露出しているものであることを特徴とする請求項１記載の定着装置。
【請求項３】
前記潤滑剤貯蔵体は、前記透過体に接触した接触部分以外の少なくとも一部分が前記帯状体の内周面に接触しているものであることを特徴とする請求項１または２記載の定着装置。
【請求項４】
外周面が周回移動する周回移動体と、
前記周回移動体と外周面同士が接し周回移動する帯状の帯状体と、
潤滑剤が染み込んでいることで該潤滑剤を貯蔵している、前記周回移動体に対し前記帯状体を挟んで逆側に位置する潤滑剤貯蔵体と、
前記帯状体の内周面と前記潤滑剤貯蔵体とに挟まれ該内周面のうちの前記周回移動体に対し前記帯状体を挟んで逆側に位置する部分に摺れる、前記潤滑剤が該潤滑剤貯蔵体側から該内周面側まで透過する透過体と、
を備えたことを特徴とする画像形成装置。
【発明の詳細な説明】
【技術分野】
【０００１】
本発明は、定着装置および画像形成装置に関する。
【背景技術】
【０００２】
特許文献１には、フィルム管状体の内側に配置した押圧部材でそのフィルム管状体を加熱駆動ロールに押圧して、このフィルム管状体の外面に、記録材を通過させるニップ部を形成すると共に、押圧部材が摺れて接する面に親油化処理したフッ素樹脂を配備する技術が開示されている。
【０００３】
また、特許文献２には、回転可能に配備される定着部材と、この定着部材に回転可能に圧接配置され、この定着部材との間に形成されるニップ部に未定着トナー像を担持した記録媒体が挟まれるエンドレスベルトと、このエンドレスベルトの内側に固定配備され、定着部材側に向けてエンドレスベルトを押圧する加圧部材と、ニップ部を加熱する加熱源とを備え、加圧部材のエンドレスベルトとの対向部に多孔質樹脂部材を設けて、この多孔質樹脂部材内に潤滑剤を保持させる技術が開示されている。
【先行技術文献】
【特許文献】
【０００４】
【特許文献１】特開２００１−２４９５５８号公報
【特許文献２】特開２００１−２２８７３１号公報
【発明の概要】
【発明が解決しようとする課題】
【０００５】
本発明は、帯状体の安定した周回移動が維持される定着装置および画像形成装置を提供することを目的とする。
【課題を解決するための手段】
【０００６】
請求項１に係る定着装置は、
外周面が周回移動する周回移動体と、
上記周回移動体と外周面同士が接し周回移動する帯状の帯状体と、
潤滑剤が染み込んでいることでこの潤滑剤を貯蔵している、上記周回移動体に対し上記帯状体を挟んで逆側に位置する潤滑剤貯蔵体と、
上記帯状体の内周面と上記潤滑剤貯蔵体とに挟まれ、この内周面のうちの上記周回移動体に対し上記帯状体を挟んで逆側に位置する部分に摺れる、上記潤滑剤がその潤滑剤貯蔵体側からその内周面側まで透過する透過体と、
を備えたことを特徴とする。
【０００７】
請求項２に係る定着装置は、
上記潤滑剤貯蔵体は、上記透過体に接触した接触部分に隣接した隣接部分が上記帯状体の内周面からみて露出しているものであることを特徴とする。
【０００８】
請求項３に係る定着装置は、
上記潤滑剤貯蔵体は、上記透過体に接触した接触部分以外の少なくとも一部分が上記帯状体の内周面に接触しているものであることを特徴とする。
【０００９】
請求項４に係る画像形成装置は、
外周面が周回移動する周回移動体と、
上記周回移動体と外周面同士が接し周回移動する帯状の帯状体と、
潤滑剤が染み込んでいることでこの潤滑剤を貯蔵している、上記周回移動体に対し上記帯状体を挟んで逆側に位置する潤滑剤貯蔵体と、
上記帯状体の内周面と上記潤滑剤貯蔵体とに挟まれこの内周面のうちの上記周回移動体に対し上記帯状体を挟んで逆側に位置する部分に摺れる、潤滑剤がその潤滑剤貯蔵体側からその内周面側まで透過する透過体と、
を備えたことを特徴とする。
【発明の効果】
【００１０】
請求項１に係る定着装置によれば、本構成を有しない場合に比べて、帯状体の安定した周回移動を維持できる。
【００１１】
請求項２に係る定着装置によれば、本構成を有しない場合に比べて、帯状体の安定した周回移動を長く維持できる。
【００１２】
請求項３に係る定着装置によれば、本構成を有しない場合に比べて、帯状体の安定した周回移動を確実に維持できる。
【００１３】
請求項４にかかる画像形成装置によれば、本構成を有しない場合に比べて、帯状体の不安定な周回移動に起因する画像の光沢ムラの発生を抑えることができる。
【図面の簡単な説明】
【００１４】
【図１】プリンタの概略構成図である。
【図２】第１実施形態の定着器の構成を示す断面図である。
【図３】第１実施形態の定着器のニップ部の拡大図である。
【図４】第２実施形態の定着装置の構成を示す断面図である。
【図５】第２実施形態の定着装置のニップ部の拡大図である。
【発明を実施するための形態】
【００１５】
以下、本発明の画像形成装置の実施形態について説明する。
【００１６】
図１は、プリンタの概略構成図である。
【００１７】
図１に示すプリンタ１は、記録媒体上にモノクロ画像を形成するモノクロプリンタである。このプリンタ１が、本発明の画像形成装置の一実施形態である。
【００１８】
このプリンタ１は、筐体１０を有しており、筐体１０の底には媒体カセット２が備えられている。媒体カセット２には、記録媒体が積み重ねられて収容されている。このプリンタ１では、この媒体カセット２から記録媒体を１枚ずつ引き出し、引き出した記録媒体を搬送経路Ｌに沿って搬送する。また、このプリンタ１では、詳しくは後述するが、感光体ロール３の表面にトナー像を形成し、形成したトナー像を搬送途中の記録媒体の表面に転写し、トナー像が転写された記録媒体を加熱および加圧してトナー像を記録媒体の表面に定着させる。これにより、記録媒体上に画像が形成される。筐体１０には、媒体排出口１０ａが設けられており、表面にトナー像が定着された記録媒体は、この媒体排出口１０ａからプリンタ１の外部に排出される。
【００１９】
このプリンタ１における、トナー像の形成、トナー像の転写、および、トナー像の定着は以下に説明するようにして行われる。
【００２０】
媒体カセット２の上方には感光体ロール３が備えられている。この感光体ロール３は、矢印Ａ方向に回転する、紙面に垂直な方向に延びたロールである。この感光体ロール３の上方には、帯電ロール４が備えられている。この帯電ロール４は、この感光体ロール３に接触して矢印Ｂ方向に従動回転し、感光体ロール３の表面に電荷を付与する。感光体ロール３の右斜め上方には、露光器５が備えられている。露光器５は、外部から送信されてきた画像データに応じて、表面に電荷が付与された感光体ロール３の表面を露光する。これにより、感光体ロール３の表面には静電潜像が形成される。感光体ロール３の右横には、現像器６が備えられている。
【００２１】
現像器６は、現像ロール６１を有しており、内部には黒色の帯電トナーを収容している。現像ロール６１は、表面に帯電トナーを保持しながら矢印Ｃ方向に回転する。
【００２２】
また、現像ロール６１には、電圧が印加されており、感光体ロール３の表面に形成されている静電潜像とこの現像ロール６１との間には電界が発生している。現像ロール６１の表面に保持されている帯電トナーは、この電界により、静電潜像に転移し、静電潜像がトナーで現像される。これにより、感光体ロール３の表面にはトナー像が形成され、感光体ロール３は表面にトナー像を保持することとなる。
【００２３】
感光体ロール３の下側には、搬送経路Ｌを挟んで、転写ロール７が備えられており、搬送経路Ｌに沿った記録媒体の矢印Ｄ方向への移動に伴って矢印Ｅ方向に従動回転する。したがって、この転写ロール７は、搬送経路Ｌを進んできた記録媒体を、トナー像を表面に保持した感光体ロール３との間に挟み込みながら矢印Ｅ方向に回転する。また、転写ロール７には、トナーの極性とは逆極性の電位が付与されている。このため、感光体ロール３が表面に保持していたトナー像は、転写ロール７によって静電的に引き付けられる。これにより、矢印Ｄ方向に搬送中の記録媒体の表面にはトナー像が転写される。
【００２４】
転写ロール７の左側には、定着器８が備えられている。定着器８は、定着ロール８１とと加圧ベルト８２とベルトガイド部材８３と圧力パッド８４とを備えている。定着器８の各構成要素についての詳細は後に譲るが、定着器８では、定着ロール８１は、Ｘ方向に回転し、加圧ベルト８２は、定着ロール８１に従動してベルトガイド部材８３と圧力パッド８４の表面を矢印Ｙ方向に循環移動する。この定着ロール８１が、本発明にいう周回移動体の一例に相当し、加圧ベルト８２が、本発明にいう帯状体の一例に相当する。この定着器８が、本発明の定着装置の第１実施形態である。
【００２５】
定着器８では、定着ロール８１と加圧ベルト８２との間に、表面にトナー像が転写された記録媒体を挟み込みながら回転して記録媒体を加熱および加圧する。これにより、記録媒体上に転写されたトナー像は、溶融されると共に記録媒体に押し付けられて記録媒体上に定着され、記録媒体上に画像が形成される。
【００２６】
以下、本発明の定着装置の第１実施形態である定着器８について詳細に説明する。
【００２７】
図２は、定着器の構成を示す断面図である。
【００２８】
図２に示す定着器８は、前述したように、定着ロール８１と加圧ベルト８２とベルトガイド部材８３と圧力パッド８４とを備えている。
【００２９】
定着ロール８１は、紙面に垂直に延びたロールである。この定着ロール８１は、内側から順にコア金属層８１１、耐熱性弾性体層８１２、および離型層８１３の３層で構成されている。
【００３０】
コア金属層８１１は、アルミ製の円筒状芯金であり、内部に発熱源であるハロゲンヒータ８１０を内蔵している。図示は省略したが、定着器８は、実際には、放出熱が、定着器８の周囲に配備されている部材に悪影響を与えないようにシールドで覆われている。
【００３１】
このコア金属層８１１は、回転軸を有しており、この回転軸が上記シールドに回転自在に支持されている。尚、このコア金属層８１１は、高い熱伝導性を有していれば良く、ＳＵＳや銅等であってもよい。
【００３２】
耐熱性弾性体層８１２は、コア金属層８１１の周面を取り巻く層であり、耐熱性および弾性を有するシリコンゴムで成形されている。耐熱性弾性体層８１２は、定着時の温度に耐える程度に耐熱性が高い弾性体であればよく、他のエラストマであってもよい。
【００３３】
離型層８１３は、定着ロール８１の最表層であり、定着ロール８１が、加圧ベルト８２との間に、表面にトナー像が転写された記録媒体を挟み込んだ際に、トナー像と接触する層である。このため、この離型層８１３は、記録媒体上に転写されたトナー像が定着時に記録媒体の表面から定着ロール８１側に移行してしまう所謂オフセットを回避するために、離型性の高いフッ素樹脂で成形されている。離型層８１３は、トナー像に対し離型性を示すものであれば良い。
【００３４】
加圧ベルト８２は、矢印Ｙ方向に無端な帯状のベルトである。この加圧ベルト８２は、画像に欠陥が生じるのを防ぐため、継ぎ目なく形成されている。
【００３５】
また、加圧ベルト８２は、加圧ベルト８２の内側に固定的に配置された、後述するベルトガイド部材８３および圧力パッド８４の周囲を矢印Ｙ方向に周回移動する。
【００３６】
ベルトガイド部材８３は、紙面に垂直な方向に延びた部材であってアルミ鋳物製の部材である。また、ベルトガイド部材８３は、軽量化のために中空部分８３ａが設けられており、上部には、圧力パッド８４を収容する凹部８３０が設けられている。
【００３７】
圧力パッド８４は、加圧ベルト８２の内側に配備されており、ベルトガイド部材８３の凹部８３０に支持されている。また、圧力パッド８４は、加圧ベルト８２を定着ロール８１に押し付けている。このように、加圧ベルト８２が定着ロール８１に押し付けられることでニップ部Ｎが形成されている。
【００３８】
また、圧力パッド８４は、低摩擦シート８４１と潤滑剤貯蔵部材８４２で構成されている。
【００３９】
潤滑剤貯蔵部材８４２には、潤滑剤としてシリコーンオイルが染み込んでおり、定着ロール８１に対し加圧ベルト８２を挟んで逆側に配備されている。この潤滑剤貯蔵部材８４２が、本発明にいう潤滑剤貯蔵体の一例に相当する。
【００４０】
低摩擦シート８４１は、加圧ベルト８２の内周面８２１と潤滑剤貯蔵部材８４２とに挟まれ、ニップ部Ｎの範囲で加圧ベルト８２の内周面８２１に摺れる。この低摩擦シート８４１が、本発明にいう透過体の一例に相当する。
【００４１】
潤滑剤貯蔵部材８４２に浸み込んでいる潤滑剤は、低摩擦シート８４１の、潤滑剤貯蔵部材８４２と接触した裏面側から加圧ベルト８２の内周面８２１と接触した表面側まで透過する。これにより、低摩擦シート８４１の表面には、透過した潤滑剤が現れる。この潤滑剤が、加圧ベルト８２の内周面８２１に塗られることで、加圧ベルト８２の内周面８２１と、低摩擦シート８４１およびベルトガイド部材８３との間の摩擦抵抗が低減される。これにより、加圧ベルト８２は、低摩擦シート８４１およびベルトガイド部材８３の表面を滑らかに循環移動する。
【００４２】
この低摩擦シート８４１には、潤滑剤透過性と自己摺動性に優れ、かつ、最高２００℃程度の熱に耐えられる、厚み５０μｍ、空隙率７０％、平均孔径０．５μｍのフッ素樹脂(ＰＴＦＥ)の多孔質シートが用いられている。尚、この低摩擦シートの厚みは、強度を考えて３０μｍ以上、空隙率と孔径は、潤滑剤の良好な染み出しを考えて各々５０％以上と０．３μｍ以上が適している。
【００４３】
潤滑剤貯蔵部材８４２は、多孔質セラミック製の部材で、空隙率が５０％。かつ平均孔径が１００μｍの連通した気孔を有する部材であり、シリコーンオイルに浸漬された後、減圧により気孔中にオイルが充てんされたものである。尚、この潤滑剤貯蔵部材については、空隙率が３０％から７０％まで、かつ平均孔径が１０μｍから１００μｍまでの連通した気孔を有するものが適している。
【００４４】
この定着器８では、上述した構成により、ニップ部Ｎの直下に配備されている潤滑剤貯蔵部材８４２から低摩擦シート８４１に対して潤滑剤が供給されている。このような構成だと、低摩擦シートはニップ部Ｎに配備されてはいるものの、ニップ部から外れたところに潤滑剤貯蔵部が配備されている構成に比べて、加圧ベルト８２の、ニップ部Ｎを通過している内周面８２１への潤滑剤の塗布が確実に行われる。潤滑剤が加圧ベルト８２の内周面８２１に塗られている間は、加圧ベルト８２の内周面８２１と、低摩擦シート８４１およびベルトガイド部材８３との間の低摩擦抵抗状態は維持されため、加圧ベルト８２の滑らかな循環移動も維持される。この定着器８では、低摩擦シート８４１と潤滑剤貯蔵部材８４２との間で潤滑剤が移動し易いため、ニップ部Ｎで余剰な潤滑剤が生じることがなく、潤滑剤の損失が抑えられている。このため、この定着器８では、加圧ベルト８２の滑らかな循環移動も長く維持される。また、これにより、プリンタ１では、定着器８における画像定着が安定して行われるため、光沢ムラのない良好な画像が形成される。
【００４５】
ところで、ニップ部Ｎで加圧ベルト８２の内周面８２１に塗られた潤滑剤は、多少、加圧ベルト８２の循環移動方向（矢印Ｙ方向）におけるニップ部Ｎの手前で堰き止められる。堰き止められた潤滑剤の中には、低摩擦シート８４１を経て潤滑剤貯蔵部材８４２に戻れないものがあるが、そのような潤滑剤が行き場をなくしてしまうと定着器８の外部に流出するおそれがある。そこで、この定着器８では、以下に説明する工夫により、ニップ部Ｎの手前で堰き止められた潤滑剤を潤滑剤貯蔵部材８４２に戻すことで、潤滑剤の損失が抑えられており、加圧ベルト８２の滑らかな循環移動のさらなる維持が図られている。
【００４６】
図３は、ニップ部の拡大図である。
【００４７】
図３には、加圧ベルト８２とベルトガイド部材８３との間の隙間空間である、上流側隙間空間８０ａと下流側隙間空間８０ｂとが示されている。
【００４８】
上流側隙間空間８０ａは、ニップ部Ｎの、加圧ベルト８２の循環移動方向（矢印Ｙ方向）における上流側で、ベルトガイド部材８３の上流側上端面８３１と、加圧ベルト８２の内周面８２１と、潤滑剤貯蔵部材８４２の上流側側面８４２１との間に形成された空間である。
【００４９】
潤滑剤貯蔵部材８４２の上流側側面８４２１は、低摩擦シート８４１に接触した接触部分８４２０に隣接した隣接部分であり、加圧ベルト８２の内周面８２１から見ると露出した部分である。このため、ニップ部Ｎの手前で堰き止められた潤滑は、この上流側隙間空間８０ａから潤滑剤貯蔵部材８４２の上流側側面８４２１を経て潤滑剤貯蔵部材８４２に戻る。これにより、潤滑剤の枯渇が一層抑えられ、加圧ベルト８２の滑らかな循環移動はさらに長く維持される。
【００５０】
一方、ニップ部Ｎからは、加圧ベルト８２の循環移動方向における下流側へ潤滑剤が染み出し易い。そこで、この定着器８には、ニップ部Ｎから染み出た潤滑剤を潤滑剤貯蔵部材８４２に戻すための下流側隙間空間８０ｂが設けられている。
【００５１】
この下流側隙間空間８０ｂは、ニップ部Ｎの、加圧ベルト８２の循環移動方向における下流側で、ベルトガイド部材８３の下流側上端面８３２と、加圧ベルト８２の内周面８２１と、潤滑剤貯蔵部材８４２の下流側側面８４２２との間に形成された空間である。
【００５２】
潤滑剤貯蔵部材８４２の下流側側面８４２２も、低摩擦シート８４１に接触した接触部分８４２０に隣接した隣接部分であり、加圧ベルト８２の内周面８２１からみて露出した部分である。このため、ニップ部Ｎから染み出た潤滑剤は、この下流側隙間空間８０ｂから潤滑剤貯蔵部材８４２の下流側側面８４２２を経て潤滑剤貯蔵部材８４２に戻る。これにより、潤滑剤の枯渇がより一層抑えられ、加圧ベルト８２の滑らかな循環移動はさらに長く維持される。
【００５３】
尚、潤滑剤としては、シリコーンオイルの他に、フッ素オイルといったタイプの液体状のオイルや、固形物質と液体とを混合させた合成潤滑油グリース、さらにはこれらを組み合わせたものが用いられ得る。
【００５４】
次に、図１に示す本発明の画像形成装置の一実施形態に備えられている定着装置８の代わりに置換可能な定着装置について説明する。
【００５５】
図４は、定着装置の構成を示す断面図である。
【００５６】
図４には、図２に示す定着装置８とは別の定着装置９が示されている。この定着装置９が、本発明の定着装置の第２実施形態である。
【００５７】
図４に示す定着装置９と図２示す定着装置８とでは、ベルトガイド部材と圧力パッドの構造がそれぞれ異なっている。以下、これら相違点について説明する。
【００５８】
図４に示すベルトガイド部材９３は、円柱状のアルミの押し出し成型品であり、その上部には、後述する圧力パッド９４を収容する凹部９３１が形成されている。
【００５９】
図４に示す圧力パッド９４は、低摩擦シート８４１と潤滑剤貯蔵部材９４２とで構成されている。この圧力パッド９４の低摩擦シート８４１は、図２に示す定着装置８の低摩擦シート８４１と同じ種類であるのでこれ以上の説明は省略する。
【００６０】
潤滑剤貯蔵部材９４２は、低摩擦シート８４１に接触した第１層９４２１と、第１層９４２１を支持する第２層９４２２とで構成されている。
【００６１】
図５は、ニップ部の拡大図である。
【００６２】
図５には、第１層９４２１が、ニップ部Ｎの上流側と下流側との双方で加圧ベルト８２の内周面８２１に接触している様子が示されている。
【００６３】
第１層９４２１は、厚みが０．７ｍｍの耐熱性・耐摩耗性・通水性の高いフェルト層であり、アラミド(全芳香族ポリアミド)繊維が使用されている。
【００６４】
一方、第２層９４２２は、第１層９４２１の支持層であり、シリコーンオイルが含浸されたシリコーンゴム製の層である。第２層９４２２は、実際には、ＲＴＶシリコーンゴムにモメンティブのＴＳＥ３２２１Ｓをオイル:ゴム＝８０：２０の比率で混合し、加熱硬化させたものである。尚、第２層９４２２に、ＲＴＶシリコーンゴムにモメンティブのＴＳＦ４５１−２００をオイル:ゴム＝８０：２０の比率で混合し、加熱硬化させたものを使用しても良い。
【００６５】
この定着器９では、第１層９４２１が、ニップ部Ｎの上流側で加圧ベルト８２の内周面８２１に接触している。これにより、ニップ部Ｎの手前側で堰き止められた潤滑剤は、潤滑剤貯蔵部材９４の第１層９４２１で吸収される。第１層９４２１は、潤滑剤の通過性が高く、第２層９４２２に染みこんでいる潤滑剤の低摩擦シート８４１への供給を妨げることがない。これは逆に、第１層９４２１が吸収した潤滑剤を第２層９４２２に戻しやすいことを意味する。したがって、この定着器９でも、潤滑剤の枯渇がより一層抑えられ、加圧ベルト８２の滑らかな循環移動はさらに長く維持される。この潤滑剤貯蔵部材９４２も、本発明にいう潤滑剤貯蔵体の一例に相当する。
【００６６】
また、この定着器９では、第１層９４２１が、ニップ部Ｎの下流側で加圧ベルト８２の内周面８２１に接触している。これにより、ニップ部Ｎから染み出した潤滑剤は、潤滑剤貯蔵部材９４の第１層９４２１で吸収される。これにより、潤滑剤の枯渇がより一層抑えられ、加圧ベルト８２の滑らかな循環移動はさらに長く維持される。
【００６７】
この定着器９の潤滑剤貯蔵部材９４が、このように第１層９４２１と第２層９４２２とに分けられているのは、潤滑剤貯蔵部材９４２を、第２層のようにシリコーンオイルが含浸したシリコーンゴム製のみとすると、潤滑剤を多く保持できるものの加圧ベルト８２の内周面８２１と接触した部分に摩擦による摩耗や熱による変質が生じる。これにより、加圧ベルト８２の循環移動および潤滑剤の回収に悪影響が出る。これに対し、定着器９では、加圧ベルト８２の内周面８２１と接触した部分に、耐熱性・耐摩耗性の高いフェルトを使用していることでこの様な事態が回避されている。
【符号の説明】
【００６８】
１  プリンタ
８、９  定着器
８０ａ  上流側隙間空間
８０ｂ  下流側隙間空間
８１  定着ロール
８１１  コア金属層
８１２  耐熱性弾性体層
８１３  離型層
８２  加圧ベルト
８２１  内周面
８３、９３  ベルトガイド部材
８３１  上流側上端面
８３２  下流側上端面
８４、９４  圧力パッド
８４１  低摩擦シート
８４２、９４２  潤滑剤貯蔵部材
８４２１  上流側側面
８４２２  下流側側面
９４２１  第１層
９４２２  第２層
【図１】
2012068491.tif 000003
【図２】
2012068491.tif 000004
【図３】
2012068491.tif 000005
【図４】
2012068491.tif 000006
【図５】
2012068491.tif 000007